(57)【要約】【課題】ユーザの意図しない操作入力を回避できるタッチパネル装置及びコンピュータプログラムの提供。【解決手段】タッチパネルと、タッチパネルへの操作体の近接及び接触に伴う静電容量の変化に応じた信号レベルの信号を出力するセンサ部と、信号レベルに対する閾値を記憶する記憶部とを備え、信号レベルと閾値との高低に基づき、タッチパネルへの操作体の接触を検出する静電容量方式のタッチパネル装置において、タッチパネルと操作体との間に樹脂製のシートを挟み込んだ状態にてセンサ部が出力する信号の信号レベルを取得する第１取得手段と、操作体が前記タッチパネルに接触した状態にてセンサ部が出力する信号の信号レベルを取得する第２取得手段と、第１及び第２取得手段が取得した２つの信号レベルに基づいて、記憶部に記憶された閾値を補正する閾値補正手段とを備える。【選択図】図５
2016001392.tif 000002
【特許請求の範囲】
【請求項１】
タッチパネルと、該タッチパネルへの操作体の近接及び接触に伴う静電容量の変化を検出し、検出した静電容量の変化に応じた信号レベルの信号を出力するセンサ部と、該センサ部が出力する信号の信号レベルに対する閾値を記憶する記憶部とを備え、前記信号レベルと前記閾値との高低に基づいて、前記タッチパネルへの前記操作体の接触を検出する静電容量方式のタッチパネル装置において、
前記タッチパネルと操作体との間に樹脂製のシートを挟み込んだ状態にて前記センサ部が出力する信号の信号レベルを取得する第１取得手段と、
前記操作体が前記タッチパネルに接触した状態にて前記センサ部が出力する信号の信号レベルを取得する第２取得手段と、
前記第１及び第２取得手段が取得した２つの信号レベルに基づいて、前記記憶部に記憶された閾値を補正する閾値補正手段と
を備えることを特徴とするタッチパネル装置。
【請求項２】
所定の操作を受付ける受付手段と、
該受付手段にて前記所定の操作を受付けた場合、前記タッチパネルと前記操作体との間に前記樹脂製のシートを挟み込んだ状態にて前記センサ部が出力する信号の信号レベルを取得すべき旨の情報を報知する報知手段と
を備え、
前記第１取得手段は、前記報知手段が前記情報を報知した後に、前記センサ部が出力する信号の信号レベルを取得するようにしてあり、
前記報知手段は、前記第１取得手段が信号レベルを取得した後に、前記操作体が前記タッチパネルに接触した状態にて前記センサ部が出力する信号の信号レベルを取得すべき旨の情報を報知するようにしてある
ことを特徴とする請求項１に記載のタッチパネル装置。
【請求項３】
所定の操作を受付ける受付手段と、
該受付手段にて前記所定の操作を受付けた場合、前記操作体が前記タッチパネルに接触した状態にて前記センサ部が出力する信号の信号レベルを取得すべき旨の情報を報知する報知手段と
を備え、
前記第２取得手段は、前記報知手段が前記情報を報知した後に、前記センサ部が出力する信号の信号レベルを取得するようにしてあり、
前記報知手段は、前記第２取得手段が信号レベルを取得した後に、前記タッチパネルと前記操作体との間に前記樹脂製のシートを挟み込んだ状態にて前記センサ部が出力する信号の信号レベルを取得すべき旨の情報を報知するようにしてある
ことを特徴とする請求項１に記載のタッチパネル装置。
【請求項４】
操作体を識別するための識別情報を受付ける手段
を更に備え、
前記操作体について前記閾値補正手段が補正した閾値を、受付けた識別情報に関連付けて記憶するようにしてあることを特徴とする請求項１から請求項３の何れか１つに記載のタッチパネル装置。
【請求項５】
前記閾値補正手段は、前記記憶部に記憶された閾値を、前記第１及び第２取得手段が取得した２つの信号レベルの間の値に補正するようにしてあることを特徴とする請求項１から請求項４の何れか１つに記載のタッチパネル装置。
【請求項６】
コンピュータに、タッチパネルへの操作体の近接及び接触に伴う静電容量の変化に応じてセンサ部から出力される信号の信号レベルと閾値との高低に基づいて、前記タッチパネルへの前記操作体の接触を検出させるコンピュータプログラムにおいて、
前記コンピュータを、
前記タッチパネルと前記操作体との間に樹脂製のシートを挟み込んだ状態にて前記センサ部が出力する信号の信号レベルを取得すべき旨の情報を報知する手段、
前記情報を報知した後に、前記センサ部が出力する信号の信号レベルを取得する第１取得手段、
前記第１取得手段が信号レベルを取得した後に、前記操作体が前記タッチパネルに接触した状態にて前記センサ部が出力する信号の信号レベルを取得すべき旨の情報を報知する手段、
前記情報を報知した後に、前記センサ部が出力する信号の信号レベルを取得する第２取得手段、及び
前記第１及び第２取得手段が取得した２つの信号レベルに基づいて前記閾値を補正する閾値補正手段
として機能させるためのコンピュータプログラム。
【請求項７】
コンピュータに、タッチパネルへの操作体の近接及び接触に伴う静電容量の変化に応じてセンサ部から出力される信号の信号レベルと閾値との高低に基づいて、前記タッチパネルへの前記操作体の接触を検出させるコンピュータプログラムにおいて、
前記コンピュータを、
前記操作体が前記タッチパネルに接触した状態にて前記センサ部が出力する信号の信号レベルを取得すべき旨の情報を報知する手段、
前記情報を報知した後に、前記センサ部が出力する信号の信号レベルを取得する第１取得手段、
前記第１取得手段が信号レベルを取得した後に、前記タッチパネルと前記操作体との間に樹脂製のシートを挟み込んだ状態にて前記センサ部が出力する信号の信号レベルを取得すべき旨の情報を報知する手段、
前記情報を報知した後に、前記センサ部が出力する信号の信号レベルを取得する第２取得手段、及び
前記第１及び第２取得手段が取得した２つの信号レベルに基づいて前記閾値を補正する閾値補正手段
として機能させるためのコンピュータプログラム。
【発明の詳細な説明】
【技術分野】
【０００１】
本発明は、ユーザが意図しない操作入力を回避できるタッチパネル装置及びコンピュータプログラムに関する。
【背景技術】
【０００２】
近年、様々な電子機器の操作部にタッチパネルが広く用いられるようになっている。特に、タッチパネル装置を実現する様々な方式の中でも静電容量センサを用いて検出を行う静電容量方式のタッチパネル装置が各種の電子機器に広く採用されるようになっている。
【０００３】
静電容量センサは、一般的に、ＩＴＯ（Indium Tin Oxide）等の透明導電膜により形成された電極パッドと、この電極パッドの静電容量の変化を伝達するための配線電極により構成される。このような静電容量センサでは、スタイラスペン、人体の指先等の操作体が電極パッドに接近した場合、電極パッドと配線電極との間の静電容量が変化するため、この静電容量の変化を配線電極を介して制御部に出力することにより、制御部側ではこの電極パッドへの操作が行われたことを検出することが可能となる。
【先行技術文献】
【特許文献】
【０００４】
【特許文献１】特開２０１２−１０３９９５号公報
【発明の概要】
【発明が解決しようとする課題】
【０００５】
しかしながら、上述したような静電容量方式のタッチパネル装置では、微妙な静電容量の変化により操作体の接近または接触を検出するため、ユーザが意識的にタッチ操作を行っていない場合であっても、操作体がタッチパネルに近づくことによりタッチ操作とみなされ、ユーザが意図しない動作が実行されてしまう虞があった。
【０００６】
また、静電容量方式のタッチパネル装置において、スタイラスペンを利用した手書き入力を受付ける構成とした場合、スタイラスペンの材質、形状により静電容量の差が大きいため、タッチパネル装置に付属する専用のスタイラスペン以外のものを用いた場合、手書き入力の線が途中で途切れたり、ユーザが意図しない箇所で線が繋がったりする現象が発生していた。
【０００７】
本発明は、斯かる事情に鑑みてなされたものであり、ユーザが意図しない操作入力を回避することができるタッチパネル装置及びコンピュータプログラムを提供することを目的とする。
【課題を解決するための手段】
【０００８】
本願のタッチパネル装置は、タッチパネルと、該タッチパネルへの操作体の近接及び接触に伴う静電容量の変化を検出し、検出した静電容量の変化に応じた信号レベルの信号を出力するセンサ部と、該センサ部が出力する信号の信号レベルに対する閾値を記憶する記憶部とを備え、前記信号レベルと前記閾値との高低に基づいて、前記タッチパネルへの前記操作体の接触を検出する静電容量方式のタッチパネル装置において、前記タッチパネルと操作体との間に樹脂製のシートを挟み込んだ状態にて前記センサ部が出力する信号の信号レベルを取得する第１取得手段と、前記操作体が前記タッチパネルに接触した状態にて前記センサ部が出力する信号の信号レベルを取得する第２取得手段と、前記第１及び第２取得手段が取得した２つの信号レベルに基づいて、前記記憶部に記憶された閾値を補正する閾値補正手段とを備えることを特徴とする。
【０００９】
本願のタッチパネル装置は、所定の操作を受付ける受付手段と、該受付手段にて前記所定の操作を受付けた場合、前記タッチパネルと前記操作体との間に前記樹脂製のシートを挟み込んだ状態にて前記センサ部が出力する信号の信号レベルを取得すべき旨の情報を報知する報知手段とを備え、前記第１取得手段は、前記報知手段が前記情報を報知した後に、前記センサ部が出力する信号の信号レベルを取得するようにしてあり、前記報知手段は、前記第１取得手段が信号レベルを取得した後に、前記操作体が前記タッチパネルに接触した状態にて前記センサ部が出力する信号の信号レベルを取得すべき旨の情報を報知するようにしてあることを特徴とする。
【００１０】
本願のタッチパネル装置は、所定の操作を受付ける受付手段と、該受付手段にて前記所定の操作を受付けた場合、前記操作体が前記タッチパネルに接触した状態にて前記センサ部が出力する信号の信号レベルを取得すべき旨の情報を報知する報知手段とを備え、前記第２取得手段は、前記報知手段が前記情報を報知した後に、前記センサ部が出力する信号の信号レベルを取得するようにしてあり、前記報知手段は、前記第２取得手段が信号レベルを取得した後に、前記タッチパネルと前記操作体との間に前記樹脂製のシートを挟み込んだ状態にて前記センサ部が出力する信号の信号レベルを取得すべき旨の情報を報知するようにしてあることを特徴とする。
【００１１】
本願のタッチパネル装置は、操作体を識別するための識別情報を受付ける手段を更に備え、前記操作体について前記閾値補正手段が補正した閾値を、受付けた識別情報に関連付けて記憶するようにしてあることを特徴とする。
【００１２】
本願のタッチパネル装置は、前記閾値補正手段は、前記記憶部に記憶された閾値を、前記第１及び第２取得手段が取得した２つの信号レベルの間の値に補正するようにしてあることを特徴とする。
【００１３】
本願のコンピュータプログラムは、コンピュータに、タッチパネルへの操作体の近接及び接触に伴う静電容量の変化に応じてセンサ部から出力される信号の信号レベルと閾値との高低に基づいて、前記タッチパネルへの前記操作体の接触を検出させるコンピュータプログラムにおいて、前記コンピュータを、前記タッチパネルと前記操作体との間に樹脂製のシートを挟み込んだ状態にて前記センサ部が出力する信号の信号レベルを取得すべき旨の情報を報知する手段、前記情報を報知した後に、前記センサ部が出力する信号の信号レベルを取得する第１取得手段、前記第１取得手段が信号レベルを取得した後に、前記操作体が前記タッチパネルに接触した状態にて前記センサ部が出力する信号の信号レベルを取得すべき旨の情報を報知する手段、前記情報を報知した後に、前記センサ部が出力する信号の信号レベルを取得する第２取得手段、及び前記第１及び第２取得手段が取得した２つの信号レベルに基づいて前記閾値を補正する閾値補正手段として機能させることを特徴とする。
【００１４】
本願のコンピュータプログラムは、コンピュータに、タッチパネルへの操作体の近接及び接触に伴う静電容量の変化に応じてセンサ部から出力される信号の信号レベルと閾値との高低に基づいて、前記タッチパネルへの前記操作体の接触を検出させるコンピュータプログラムにおいて、前記コンピュータを、前記操作体が前記タッチパネルに接触した状態にて前記センサ部が出力する信号の信号レベルを取得すべき旨の情報を報知する手段、前記情報を報知した後に、前記センサ部が出力する信号の信号レベルを取得する第１取得手段、前記第１取得手段が信号レベルを取得した後に、前記タッチパネルと前記操作体との間に樹脂製のシートを挟み込んだ状態にて前記センサ部が出力する信号の信号レベルを取得すべき旨の情報を報知する手段、前記情報を報知した後に、前記センサ部が出力する信号の信号レベルを取得する第２取得手段、及び前記第１及び第２取得手段が取得した２つの信号レベルに基づいて前記閾値を補正する閾値補正手段として機能させることを特徴とする。
【発明の効果】
【００１５】
本願によれば、任意の操作体を用いた場合であっても、ユーザが意図しない操作入力を回避することができる。
【図面の簡単な説明】
【００１６】
【図１】タッチパネル装置の内部構成を示すブロック図である。
【図２】タッチパネル制御部の機能的構成を説明するブロック図である。
【図３】本実施の形態に係る閾値補正処理を説明する説明図である。
【図４】本実施の形態に係る閾値補正処理を説明する説明図である。
【図５】実施の形態１に係るタッチパネル装置が実行する処理の手順を説明するフローチャートである。
【図６】実施の形態２に係るタッチパネル装置が実行する処理の手順を説明するフローチャートである。
【図７】閾値記憶部が備える閾値テーブルの一例を示す模式図である。
【図８】実施の形態３に係るタッチパネル装置が実行する処理の手順を説明するフローチャートである。
【発明を実施するための形態】
【００１７】
以下、本発明をその実施の形態を示す図面に基づいて具体的に説明する。
実施の形態１．
図１はタッチパネル装置１の内部構成を示すブロック図である。本実施の形態に係るタッチパネル装置１は、表示パネル１Ａ及びタッチパネル１Ｂを備え、これらの表示パネル１Ａ及びタッチパネル１Ｂの動作を制御するために、主制御部１１、記憶部１２、バックライト制御部１３、表示制御部１４、タッチパネル制御部１５、操作部１６、通信部１７等を備える。
【００１８】
主制御部１１は、例えば、ＣＰＵ、ＲＡＭなどにより構成される。主制御部１１のＣＰＵは、記憶部１２に記憶されている各種コンピュータプログラムをＲＡＭ上にロードして実行することにより、ハードウェア各部の動作を制御し、タッチパネル装置１を本発明に係るタッチパネル装置として機能させる。
【００１９】
記憶部１２は、ＥＥＰＲＯＭ（Electrically Erasable and Programmable ROM）、フラッシュメモリ、ＨＤＤ（Hard Disk Drive）等の不揮発性の記憶手段である。記憶部１２には、装置全体の動作を制御するための基本プログラム、特定の機能を実現するためのコンピュータプログラム、ユーザにより任意に追加されるアプリケーションプログラム等が記憶される。また、記憶部１２には、タッチパネル装置１を動作させるために必要なデータ、タッチパネル装置１を用いてユーザが作成したデータ、外部から取得したデータ等の様々なデータが記憶される。
【００２０】
バックライト制御部１３には、バックライト（不図示）が接続されており、表示制御部１４には、表示パネル１Ａが接続されている。バックライトは、白色ＬＥＤ（Light Emitting Diode）又は冷陰極蛍光管等の光源を有し、表示パネル１Ａを背面側から照明する。バックライト制御部１３は、主制御部１１からの指示に従ってバックライトの光源の点灯及び消灯を制御する。表示パネル１Ａは、例えばカラー液晶パネルであり、主制御部１１からの指示に従って表示制御部１４が表示パネル１Ａを駆動させることにより、画像、文字等の各種情報を表示する。
【００２１】
タッチパネル制御部１５には、タッチパネル１Ｂが接続されている。タッチパネル制御部１５は、主制御部１１からの指示に従ってタッチパネル１Ｂの動作を制御する。また、タッチパネル制御部１５は、タッチパネル１Ｂが備えるセンサ１０（図２を参照）からの出力に基づいて、スタイラスペン（又はユーザの指）により指定された表示パネル１Ａ上の位置を検出し、検出した位置の情報を主制御部１１へ出力する。
【００２２】
操作部１６は、各種スイッチを備え、スイッチの操作状態に応じた信号を主制御部１１へ出力する。主制御部１１は、操作部１６から出力される信号に応じて各種の処理を実行する。なお、操作部１６が備えるスイッチは、タッチパネル装置１の筐体に設けられる物理的なスイッチ（ハードウェアスイッチ）であってもよく、表示パネル１Ａに表示され、タッチパネル１Ｂを通じて操作を受付けるソフトウェアスイッチであってもよい。
【００２３】
通信部１７は、有線又は無線の通信方式にて外部機器を接続するためのインタフェースを備える。有線の通信方式として、例えばＵＳＢケーブルを用いた通信を利用することができる。また、無線の通信方式として、例えばＩＥＥＥ８０２．１の規格に準拠した無線通信、Ｂｌｕｅｔｏｏｔｈ（登録商標）などを利用することができる。
【００２４】
図２はタッチパネル制御部１５の機能的構成を説明するブロック図である。タッチパネル１Ｂは、ドライブライン及びセンスラインの各交差箇所に配置され、タッチパネル１Ｂへのタッチ操作（スタイラスペン等を用いたタッチパネル１Ｂへの接触操作）を検出するためのセンサ１０，１０，…，１０を備える。本実施の形態に係るタッチパネル１Ｂが備えるセンサ１０は、静電容量方式のセンサであり、ユーザがタッチ操作を行った場合、センサ１０がドライブライン及びセンスライン間の静電容量の変化を検出し、その変化に応じた信号レベルの信号を出力する。
【００２５】
タッチパネル制御部１５は、タッチ操作の座標検出動作において、ドライブラインを通じて各センサ１０，１０，…，１０をスキャン駆動するセンサ駆動部１５Ａと、タッチ操作に伴う静電容量の変化をセンスラインを通じて検出すると共に、タッチ操作された箇所の座標を演算する検出処理部１５Ｂとを備える。
【００２６】
検出処理部１５Ｂは、例えば、信号入力部１５１、閾値記憶部１５２、タッチ操作検出部１５３、検出結果出力部１５４、及び閾値補正部１５５を備える。
【００２７】
信号入力部１５１には、センサ１０から出力される信号が入力される。信号入力部１５１は、センサ１０から出力されるアナログ形式の信号をＡＤ変換することによってデジタル形式の信号に変換し、変換後の信号をタッチ操作検出部１５３へ送出する。
【００２８】
閾値記憶部１５２は、タッチ操作を検出したか否かを判定するための閾値を記憶する。タッチ操作検出部１５３は、信号入力部１５１を通じて入力される信号の信号レベルと、閾値記憶部１５２に記憶された閾値との高低を比較し、その比較結果に基づいて、タッチ操作を検出したか否かを判定する。また、タッチ操作検出部１５３は、信号入力部１５１を通じて入力される信号に基づき、タッチ操作された箇所の座標を演算する。タッチ操作検出部１５３は、タッチ操作を検出したか否かの判定結果、及びタッチ操作された箇所の座標の演算結果を検出結果出力部１５４へ送出する。
【００２９】
検出結果出力部１５４は、タッチ操作検出部１５３から入力されるタッチ操作の判定結果及び座標の演算結果を主制御部１１へ通知する。主制御部１１は、検出結果出力部１５４から通知されるタッチ操作の判定結果及び座標の演算結果に基づき、各種の処理を実行する。主制御部１１が実行する処理には、アプリケーションを起動する処理、ソフトウェアスイッチに割り当たられた機能を実行する処理、アイコン、メニュー、ボタンなどのＧＵＩ（Graphical User Interface）のエレメントに応じた処理等の様々な処理が含まれる。
【００３０】
閾値補正部１５５は、閾値記憶部１５２に記憶された閾値を補正する。本実施の形態では、信号入力部１５１を通じて入力される信号の信号レベルと、閾値記憶部１５２に記憶された閾値との高低を比較することにより、タッチ操作を検出したか否かを判定することができる。しかしながら、静電容量方式のセンサ１０を用いたタッチパネル１Ｂでは、タッチパネル１Ｂに接触するスタイラスペンの材質、ペン先の形状等により、静電容量に差異が発生することが多いため、タッチパネル装置１に付属する専用のスタイラスペンについて適切に閾値が設定されている場合であっても、それ以外のスタイラスペンを用いた場合には、タッチ操作を適切に検出することができなかったり、手書き入力において線が途中で途切れる現象やユーザが意図しない箇所で線が繋がる現象が生じていた。
【００３１】
本実施の形態に係るタッチパネル装置１は、閾値記憶部１５２に記憶された閾値を補正する閾値補正部１５５を備え、個々のスタイラスペンについてタッチ操作を検出するための閾値を設定できるように構成している。
【００３２】
図３及び図４は本実施の形態に係る閾値補正処理を説明する説明図である。本実施の形態に係るタッチパネル装置１は、ユーザが所望するタイミングにて、閾値記憶部１５２に記憶された閾値を補正できるように構成されている。タッチパネル装置１は、操作部１６又はタッチパネル１Ｂを通じて所定の操作を受付けたことを契機として、閾値補正処理を実行する。
【００３３】
タッチパネル装置１の閾値補正部１５５は、閾値補正処理において、タッチパネル１Ｂの検出面に対してスタイラスペン２の軸心が垂直に立った状態でタッチ操作を受付け（図３を参照）、タッチ操作されたときに信号入力部１５１を通じて入力される信号の信号レベルＶ０を取得する。
【００３４】
また、閾値補正部１５５は、タッチパネル１Ｂの検出面に適宜の厚み（例えば、０．１〜０．５ｍｍ）を有する樹脂製のシートＳ（以下、樹脂シートＳという）を載せた状態にて、同じスタイラスペン２によるタッチ操作を受付け（図４を参照）、タッチ操作されたときに信号入力部１５１を通じて入力される信号の信号レベルＶ１を取得する。
【００３５】
信号レベルＶ０は、スタイラスペン２がタッチパネル１Ｂの検出面に接触したときにセンサ１０が出力する信号の信号レベルを表している。一方、信号レベルＶ１は、スタイラスペン２がタッチパネル１Ｂの検出面に接触する直前にてセンサ１０が出力する信号の信号レベルを表している。そこで、閾値補正部１５５は、信号レベルＶ０と信号レベルＶ１との間の値（例えば中間値）を補正後の閾値として算出することができる。
【００３６】
閾値補正部１５５は、算出した補正後の閾値をスタイラスペン２に対する閾値として閾値記憶部１５２に記憶させることにより、閾値の設定を行う。
【００３７】
図５は実施の形態１に係るタッチパネル装置１が実行する処理の手順を説明するフローチャートである。タッチパネル装置１の主制御部１１は、操作部１６又はタッチパネル１Ｂを通じて所定の操作を受付けたか否かを判断する（ステップＳ１１）。所定の操作を受付けていない場合（Ｓ１１：ＮＯ）、主制御部１１は、閾値補正処理を開始させずに所定の操作を受付けるまで待機する。
【００３８】
所定の操作を受付けた場合（Ｓ１１：ＹＥＳ）、主制御部１１は、閾値補正処理を開始させる。このとき、主制御部１１は、閾値補正処理を実行させるためのアプリケーションプログラムを記憶部１２から読み出して実行することにより、以下の処理を実現する構成としてもよい。
【００３９】
主制御部１１は、表示制御部１４の制御を行い、スタイラスペン２がタッチパネル１Ｂの検出面に接触した状態にてタッチ操作を行うべき旨の情報を表示パネル１Ａに表示させることにより、ユーザにスタイラスペン２を用いてタッチ操作を行うことを要求する（ステップＳ１２）。なお、本実施の形態では、表示パネル１Ａに情報を表示することで、スタイラスペン２を用いたタッチ操作を要求する構成としたが、音声を出力する音声出力手段を設け、スタイラスペン２がタッチパネル１Ｂの検出面に接触した状態にてタッチ操作を行うべき旨の情報を音声として出力することで、スタイラスペン２を用いたタッチ操作を要求する構成としてもよい。
【００４０】
次いで、タッチパネル制御部１５におけるタッチ操作検出部１５３は、信号入力部１５１を通じて入力される信号の信号レベルを基に、タッチ操作に伴う信号を検出したか否かを判断する（ステップＳ１３）。タッチ操作に伴う信号を検出していない場合（Ｓ１３：ＮＯ）、タッチ操作検出部１５３は、タッチ操作に伴う信号を検出するまで待機する。このとき、タッチ操作検出部１５３は、主制御部１１へ指示を出力することにより、スタイラスペン２がタッチパネル１Ｂの検出面に接触した状態にてタッチ操作を行うべき旨の情報を表示パネル１Ａに再度表示させる構成としてもよい。
【００４１】
タッチ操作に伴う信号を検出したと判断した場合（Ｓ１３：ＹＥＳ）、タッチ操作検出部１５３は、検出した信号の信号レベルＶ０を取得し（ステップＳ１４）、取得した信号レベルＶ０を閾値補正部１５５へ通知すると共に、検出結果が得られた旨を主制御部１１へ通知する。閾値補正部１５５は、タッチ操作検出部１５３から通知される信号レベルＶ０を保持する。
【００４２】
タッチ操作検出部１５３から検出結果が得られた旨の通知を受けた主制御部１１は、表示制御部１４の制御を行い、樹脂シートＳをタッチパネル１Ｂの検出面に載せた状態でスタイラスペン２によるタッチ操作を行うべき旨の情報を表示パネル１Ａに表示させることにより、樹脂シートＳを載せた状態で、ユーザにスタイラスペン２を用いてタッチ操作を行うことを要求する（ステップＳ１５）。なお、本実施の形態では、樹脂シートＳをタッチパネル１Ｂの検出面に載せた状態でスタイラスペン２によるタッチ操作を行うべき旨の情報を表示パネル１Ａに表示する構成としたが、その旨の情報を音声により出力する構成としてもよい。
【００４３】
次いで、タッチパネル制御部１５におけるタッチ操作検出部１５３は、信号入力部１５１を通じて入力される信号の信号レベルを基に、タッチ操作に伴う信号を検出したか否かを判断する（ステップＳ１６）。タッチ操作に伴う信号を検出していない場合（Ｓ１６：ＮＯ）、タッチ操作検出部１５３は、タッチ操作に伴う信号を検出するまで待機する。このとき、タッチ操作検出部１５３は、主制御部１１へ指示を出力することにより、樹脂シートＳを載せた状態にてスタイラスペン２によるタッチ操作を行うべき旨の情報を表示パネル１Ａに再度表示させる構成としてもよい。
【００４４】
タッチ操作に伴う信号を検出したと判断した場合（Ｓ１６：ＹＥＳ）、タッチ操作検出部１５３は、検出した信号の信号レベルＶ１を取得し（ステップＳ１７）、取得した信号レベルＶ１を閾値補正部１５５へ通知すると共に、検出結果が得られた旨を主制御部１１へ通知する。閾値補正部１５５は、タッチ操作検出部１５３から通知される信号レベルＶ１を保持する。
【００４５】
閾値補正部１５５は、タッチ操作検出部１５３から通知される２つの信号レベルＶ０，Ｖ１に基づき、閾値記憶部１５２に記憶された閾値を補正する（ステップＳ１８）。例えば、閾値補正部１５５は、信号レベルＶ０と信号レベルＶ１との間の値（例えば中間値）を補正後の閾値として算出し、閾値記憶部１５２に記憶された閾値を補正後の閾値により書き換えることにより、閾値の補正を行う。
【００４６】
以上のように、本実施の形態では、ユーザが使用しようとしているスタイラスペン２について適切な閾値を設定することができる。このため、タッチパネル装置１に付属している専用のスタイラスペンとは、材質、ペン先の形状等が異なるものを用いる場合であっても、手書き入力の線が途中で途切れたり、ユーザが意図しない箇所で線が繋がったりする現象の発生を抑えることができる。
【００４７】
なお、本実施の形態では、樹脂シートＳを介在させない状態での信号レベルＶ０を取得した後に、樹脂シートＳを介在させた状態での信号レベルＶ１を取得する構成としたが、まず最初に、樹脂シートＳをタッチパネル１Ｂの検出面に載せた状態でスタイラスペン２によるタッチ操作を行うべき旨の情報を報知して、樹脂シートＳを介在させた状態での信号レベルＶ１を取得し、次いで、スタイラスペン２がタッチパネル１Ｂの検出面に接触した状態にてタッチ操作を行うべき旨を報知して、樹脂シートＳを介在させない状態での信号レベルＶ０を取得する構成としてもよい。
【００４８】
実施の形態２．
実施の形態１では、タッチパネル１Ｂの検出面に樹脂シートＳを載せた状態でタッチ操作を行ったときの信号レベルＶ１と、タッチパネル１Ｂの検出面から樹脂シートＳを取り外した状態でタッチ操作を行ったときの信号レベルＶ０との間の値を新たな閾値として設定する構成としたが、タッチ操作を検出するための閾値は上述したものに限定されるものではない。
実施の形態２では、タッチ操作を検出するための閾値として、タッチパネル１Ｂから得られる信号の信号レベルに対し検出範囲（上限閾値及び下限閾値）を設定する構成について説明を行う。なお、タッチパネル装置１の内部構成については実施の形態１と同様であるから、その説明を省略することとする。
【００４９】
実施の形態２に係るタッチパネル装置１の閾値記憶部１５２には、タッチパネル装置１に付属の専用スタイラスペンについて設定された閾値（初期値）として、タッチ操作の検出範囲を定める上限閾値β１及び下限閾値β０、及び基準となる信号レベルα１及びα０が記憶されているものとする。すなわち、専用スタイラスペンを用いて、タッチパネル１Ｂの検出面に樹脂シートＳを載せた状態でタッチ操作を行ったときの信号レベルをα１、タッチパネル１Ｂの検出面から樹脂シートＳを取り外した状態でタッチ操作を行ったときの信号レベルをα０とした場合、これら信号レベルα１及びα０に基づいて設定した閾値をβ１（上限閾値）、β０（下限閾値）として閾値記憶部１５２に記憶してあるものとする。
【００５０】
図６は実施の形態２に係るタッチパネル装置１が実行する処理の手順を説明するフローチャートである。実施の形態２に係るタッチパネル装置１は、図５で示したフローチャートのステップＳ１１〜Ｓ１７の処理を実行することにより、タッチパネル１Ｂの検出面にスタイラスペン２のペン先を接触させたときの信号レベルＶ０と、タッチパネル１Ｂの検出面に樹脂シートＳを載せた状態でスタイラスペン２を用いてタッチ操作を行ったときの信号レベルＶ１とを取得する。
【００５１】
次いで、閾値補正部１５５は、閾値記憶部１５２に記憶された上限閾値β１及び下限閾値β０、並びに基準となる信号レベルα１及びα０を読み出し、これらの値を参照してスタイラスペン２に対する上限閾値及び下限閾値を設定する（ステップＳ１９）。例えば、閾値補正部１５５は、β１×｛１−（α１−Ｖ１）／α１｝を新たなスタイラスペン２に対する上限閾値として算出することができ、β０×｛１−（α０−Ｖ０）／α０｝を新たな下限閾値として算出することがきる。
【００５２】
以上のように、実施の形態２では、初期設定として定められた閾値（上限閾値及び下限閾値）を参照して、ユーザが使用しようとしているスタイラスペン２について適切な閾値を設定することができる。
【００５３】
実施の形態３．
実施の形態３では、スタイラスペン毎に設定した閾値をスタイラスペンの識別情報に関連付けて記憶する構成について説明する。
【００５４】
実施の形態３に係るタッチパネル装置１の閾値記憶部１５２は、設定した閾値とスタイラスペン２を識別する識別情報とを関連付けて記憶する閾値テーブルを備える。図７は閾値記憶部１５２が備える閾値テーブルの一例を示す模式図である。実施の形態３に係るタッチパネル装置１は、新たなスタイラスペン２について閾値補正処理を実行し、閾値を設定した場合、スタイラスペン２の識別情報と設定した閾値とを関連付けて閾値テーブルに登録する。
【００５５】
スタイラスペン２の識別情報は、操作部１６又はタッチパネル１Ｂを通じてユーザが入力するものであってもよく、スタイラスペン２に識別情報を記憶するためのメモリ、及びタッチパネル装置１側の通信部１７と通信する手段を設け、通信によりスタイラスペン２の識別情報を取得する構成であってもよい。また、スタイラスペン２にＩＤタグを添付し、タッチパネル装置１がスタイラスペン２に添付されたＩＤタグを読み取ることにより識別情報を取得する構成であってもよい。
【００５６】
図８は実施の形態３に係るタッチパネル装置１が実行する処理の手順を説明するフローチャートである。タッチパネル装置１の主制御部１１は、スタイラスペン２の識別情報を受付けたか否かを判断する（ステップＳ２１）。識別情報を受け付けていない場合（Ｓ２１：ＮＯ）、主制御部１１は、識別情報を受付けるまで待機する。
【００５７】
識別情報を受付けたと判断した場合（Ｓ２１：ＹＥＳ）、主制御部１１は、閾値記憶部１５２に記憶されている閾値テーブルを参照し、受付けた識別情報が閾値テーブルに登録されているか否かを判断する（ステップＳ２２）。
【００５８】
受付けた識別情報が閾値テーブルに登録されている場合（Ｓ２２：ＹＥＳ）、主制御部１１は、当該識別情報に関連付けて記憶してある閾値を読み出し、タッチ操作を検出するための閾値として設定させる（ステップＳ２３）。以降の処理では、タッチパネル装置１は、ステップＳ２３で設定した閾値を用いてタッチ操作の検出を行う。
【００５９】
一方、受付けた識別情報が閾値テーブルに登録されていない場合（Ｓ２２：ＮＯ）、主制御部１１は、タッチパネル制御部１５に閾値補正処理を実行させる（ステップＳ２４）。閾値補正処理としては、実施の形態１で説明した閾値補正処理、または実施の形態２で説明した閾値補正処理を実行することができる。
【００６０】
主制御部１１は、タッチパネル制御部１５による閾値補正処理が完了したか否かを判断する（ステップＳ２５）。閾値補正処理が完了していない場合（Ｓ２５：ＮＯ）、主制御部１１は、閾値補正処理が完了するまで待機する。
【００６１】
閾値補正処理が完了した場合（Ｓ２５：ＹＥＳ）、閾値補正処理により設定された閾値をステップＳ２１で受付けた識別情報に関連付けて閾値テーブルに登録させると共に（ステップＳ２６）、タッチ操作を検出するための閾値として設定させる（ステップＳ２７）。以降の処理では、タッチパネル装置１は、ステップＳ２７で設定した閾値を用いてタッチ操作の検出を行う。
【００６２】
以上のように、実施の形態３では、複数のスタイラスペン２を利用する場合であっても、個々のスタイラスペン２について設定された閾値を用いてタッチ操作を検出することができる。
【００６３】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００６４】
以上の実施の形態に関し、更に以下の付記を開示する。
【００６５】
本願のタッチパネル装置（１）は、タッチパネル（１Ｂ）と、該タッチパネル（１Ｂ）への操作体（２）の近接及び接触に伴う静電容量の変化を検出し、検出した静電容量の変化に応じた信号レベルの信号を出力するセンサ部（１０）と、該センサ部（１０）が出力する信号の信号レベルに対する閾値を記憶する記憶部（１５２）とを備え、前記信号レベルと前記閾値との高低に基づいて、前記タッチパネル（１Ｂ）への前記操作体（２）の接触を検出する静電容量方式のタッチパネル装置（１）において、前記タッチパネル（１Ｂ）と操作体（２）との間に樹脂製のシート（Ｓ）を挟み込んだ状態にて前記センサ部（１０）が出力する信号の信号レベルを取得する第１取得手段（１５３）と、前記操作体（２）が前記タッチパネル（１Ｂ）に接触した状態にて前記センサ部（１０）が出力する信号の信号レベルを取得する第２取得手段（１５３）と、前記第１及び第２取得手段（１５３）が取得した２つの信号レベルに基づいて、前記記憶部（１５２）に記憶された閾値を補正する閾値補正手段（１５５）とを備えることを特徴とする。
【００６６】
本願では、ユーザが使用しようとしている操作具について適切な閾値を設定することができる。このため、タッチパネル装置に付属している専用の操作具とは材質又は形状等が異なるものを用いる場合であっても、手書き入力の線が途中で途切れたり、ユーザが意図しない箇所で線が繋がったりする現象の発生を抑えることができる。
【００６７】
本願のタッチパネル装置（１）は、所定の操作を受付ける受付手段（１６，１Ｂ）と、該受付手段（１６，１Ｂ）にて前記所定の操作を受付けた場合、前記タッチパネル（１Ｂ）と前記操作体（２）との間に前記樹脂製のシート（Ｓ）を挟み込んだ状態にて前記センサ部（１０）が出力する信号の信号レベルを取得すべき旨の情報を報知する報知手段（１４）とを備え、前記第１取得手段（１５３）は、前記報知手段（１４）が前記情報を報知した後に、前記センサ部（１０）が出力する信号の信号レベルを取得するようにしてあり、前記報知手段（１４）は、前記第１取得手段（１５３）が信号レベルを取得した後に、前記操作体（２）が前記タッチパネル（１Ｂ）に接触した状態にて前記センサ部（１０）が出力する信号の信号レベルを取得すべき旨の情報を報知するようにしてあることを特徴とする。
【００６８】
本願では、操作体との間に樹脂製のシートを挟み込んだ状態にてセンサ部が出力する信号の信号レベルを取得すべき旨の情報、及び操作体がタッチパネルに接触した状態にて前記センサ部が出力する信号の信号レベルを取得すべき旨の情報を報知する構成としているので、誤った信号に基づき閾値が設定されることが防止される。
【００６９】
本願のタッチパネル装置（１）は、所定の操作を受付ける受付手段（１６，１Ｂ）と、該受付手段（１６，１Ｂ）にて前記所定の操作を受付けた場合、前記操作体（２）が前記タッチパネル（１Ｂ）に接触した状態にて前記センサ部（１０）が出力する信号の信号レベルを取得すべき旨の情報を報知する報知手段（１４）とを備え、前記第２取得手段（１５３）は、前記報知手段（１４）が前記情報を報知した後に、前記センサ部（１０）が出力する信号の信号レベルを取得するようにしてあり、前記報知手段（１４）は、前記第２取得手段（１５３）が信号レベルを取得した後に、前記タッチパネル（１Ｂ）と前記操作体（２）との間に前記樹脂製のシート（Ｓ）を挟み込んだ状態にて前記センサ部（１０）が出力する信号の信号レベルを取得すべき旨の情報を報知するようにしてあることを特徴とする。
【００７０】
本願では、操作体との間に樹脂製のシートを挟み込んだ状態にてセンサ部が出力する信号の信号レベルを取得すべき旨の情報、及び操作体がタッチパネルに接触した状態にて前記センサ部が出力する信号の信号レベルを取得すべき旨の情報を報知する構成としているので、誤った信号に基づき閾値が設定されることが防止される。
【００７１】
本願のタッチパネル装置（１）は、操作体（２）を識別するための識別情報を受付ける手段（１Ｂ）を更に備え、前記操作体（２）について前記閾値補正手段（１５５）が補正した閾値を、受付けた識別情報に関連付けて記憶するようにしてあることを特徴とする。
【００７２】
本願では、複数の操作具を利用する場合であっても、個々の操作具について設定された閾値を用いてタッチ操作を検出することができる。
【００７３】
本願のタッチパネル装置（１）は、前記閾値補正手段（１５５）は、前記記憶部（１５２）に記憶された閾値を、前記第１及び第２取得手段（１５３）が取得した２つの信号レベルの間の値に補正するようにしてあることを特徴とする。
【００７４】
本願では、ユーザが使用しようとしている操作具について適切な閾値を設定することができる。このため、タッチパネル装置に付属している専用の操作具とは材質又は形状等が異なるものを用いる場合であっても、手書き入力の線が途中で途切れたり、ユーザが意図しない箇所で線が繋がったりする現象の発生を抑えることができる。
【００７５】
本願のコンピュータプログラムは、コンピュータ（１５）に、タッチパネル（１Ｂ）への操作体（２）の近接及び接触に伴う静電容量の変化に応じてセンサ部（１０）から出力される信号の信号レベルと閾値との高低に基づいて、前記タッチパネル（１Ｂ）への前記操作体（２）の接触を検出させるコンピュータプログラムにおいて、前記コンピュータ（１５）を、前記タッチパネル（１Ｂ）と前記操作体（２）との間に樹脂製のシート（Ｓ）を挟み込んだ状態にて前記センサ部（１０）が出力する信号の信号レベルを取得すべき旨の情報を報知する手段（１４）、前記情報を報知した後に、前記センサ部（１０）が出力する信号の信号レベルを取得する第１取得手段（１５３）、前記第１取得手段（１５３）が信号レベルを取得した後に、前記操作体（２）が前記タッチパネル（１Ｂ）に接触した状態にて前記センサ部（１０）が出力する信号の信号レベルを取得すべき旨の情報を報知する手段（１４）、前記情報を報知した後に、前記センサ部（１０）が出力する信号の信号レベルを取得する第２取得手段（１５３）、及び前記第１及び第２取得手段（１５３）が取得した２つの信号レベルに基づいて前記閾値を補正する閾値補正手段（１５５）として機能させることを特徴とする。
【００７６】
本願では、操作体との間に樹脂製のシートを挟み込んだ状態にてセンサ部が出力する信号の信号レベルを取得すべき旨の情報、及び操作体がタッチパネルに接触した状態にて前記センサ部が出力する信号の信号レベルを取得すべき旨の情報を報知した上で、閾値を設定するめに必要な信号を取得する構成としているので、誤った信号に基づき閾値が設定されることが防止される。
【００７７】
本願のコンピュータプログラムは、コンピュータ（１５）に、タッチパネル（１Ｂ）への操作体（２）の近接及び接触に伴う静電容量の変化に応じてセンサ部（１０）から出力される信号の信号レベルと閾値との高低に基づいて、前記タッチパネル（１Ｂ）への前記操作体（２）の接触を検出させるコンピュータプログラムにおいて、前記コンピュータ（１５）を、前記操作体（２）が前記タッチパネルに接触した状態にて前記センサ部（１０）が出力する信号の信号レベルを取得すべき旨の情報を報知する手段（１４）、前記情報を報知した後に、前記センサ部が出力する信号の信号レベルを取得する第１取得手段（１５３）、前記第１取得手段（１５３）が信号レベルを取得した後に、前記タッチパネル（１Ｂ）と前記操作体（２）との間に樹脂製のシート（Ｓ）を挟み込んだ状態にて前記センサ部（１０）が出力する信号の信号レベルを取得すべき旨の情報を報知する手段（１４）、前記情報を報知した後に、前記センサ部（１０）が出力する信号の信号レベルを取得する第２取得手段（１５３）、及び前記第１及び第２取得手段（１５３）が取得した２つの信号レベルに基づいて前記閾値を補正する閾値補正手段（１５５）として機能させることを特徴とする。
【００７８】
本願では、操作体との間に樹脂製のシートを挟み込んだ状態にてセンサ部が出力する信号の信号レベルを取得すべき旨の情報、及び操作体がタッチパネルに接触した状態にて前記センサ部が出力する信号の信号レベルを取得すべき旨の情報を報知した上で、閾値を設定するめに必要な信号を取得する構成としているので、誤った信号に基づき閾値が設定されることが防止される。
【符号の説明】
【００７９】
１  タッチパネル装置
１Ａ  表示パネル
１Ｂ  タッチパネル
２  スタイラスペン
１１  主制御部
１２  記憶部
１３  バックライト制御部
１４  表示制御部
１５  タッチパネル制御部
１６  操作部
１７  通信部
１５１  信号入力部
１５２  閾値記憶部
１５３  タッチ操作検出部
１５４  検出結果出力部
１５５  閾値補正部
【図１】
2016001392.tif 000003
【図２】
2016001392.tif 000004
【図３】
2016001392.tif 000005
【図４】
2016001392.tif 000006
【図５】
2016001392.tif 000007
【図６】
2016001392.tif 000008
【図７】
2016001392.tif 000009
【図８】
2016001392.tif 000010